(57)【要約】【課題】少ない光源数でも照度を上げることができ、薄型化が可能で、かつ輝度むらが少なく表示面全体に対して均一な光量分布を得ることが可能な照明ユニット及び照明装置を提供する。【解決手段】本発明は、有底開口の逆載頭錐体状の第１の反射部材２と、第１の反射部材２の底中央部に設けられたＬＥＤ光源３と、ＬＥＤ光源３の上方に第１の反射部材２と対向して設けられ、ＬＥＤ光源３から放射される光を均一化して透過させる第２の反射部材４と、第２の反射部材４の上面に当該第２の反射部材２を覆うように取着して設けられ、第２の反射部材４の透過光及び第１の反射部材２からの反射光を拡散透過させて面光源とする拡散部材５ａとを備えた照明ユニット１ｅを特徴とする。【選択図】      図１８
2011100709.tif 000002
【特許請求の範囲】
【請求項１】
有底開口の逆載頭錐体状の第１の反射部材と、
前記第１の反射部材の底中央部に設けられたＬＥＤ光源と、
前記ＬＥＤ光源の上方に前記第１の反射部材と対向して設けられ、前記ＬＥＤ光源から放射される光を均一化して透過させる第２の反射部材と、
前記第２の反射部材の上方に前記第１の反射部材の開口を覆って設けられ、前記第２の反射部材の透過光及び前記第１の反射部材からの反射光を拡散透過させて面光源とする拡散部材とを備えたことを特徴とする照明ユニット。
【請求項２】
有底開口の逆載頭錐体の反射区画を縦横２区画ずつ全部で４区画有する第１の反射部材と、
前記第１の反射部材の各反射区画の底中央部に設けられた４個のＬＥＤ光源と、
前記４個のＬＥＤ光源各々の上方に前記反射区画各々と対向して設けられ、前記ＬＥＤ光源各々から放射される光を均一化して透過させる４個の第２の反射部材と、
前記４個の第２の反射部材各々の上面に前記第２の反射部材各々を覆って設けられ、前記第２の反射部材各々の透過光及び前記第１の反射部材からの反射光を拡散透過させて面光源とする４個の拡散部材とを備えたことを特徴とする照明ユニット。
【請求項３】
前記４区画の反射区画について、隣接する他の反射区画との境界部分に前記拡散部材と同材で成る十字形の稜線部拡散部材を設置したことを特徴とする請求項２に記載の照明ユニット。
【請求項４】
前記拡散部材が、表面に凹凸を有する光線反射率９７％以上の可撓性を有する熱可塑性樹脂シートで形成されていることを特徴とする請求項１〜３のいずれか１に記載の照明ユニット。
【請求項５】
前記第１の反射部材及び第２の反射部材が、光線反射率９７％以上の熱可塑性樹脂で形成されていることを特徴とする請求項１〜４のいずれか１項に記載の照明ユニット。
【請求項６】
前記第２の反射部材は、前記ＬＥＤ光源の直上領域を覆う第１領域と、前記第１領域の周縁部に前記第１領域と連続して配置され、スリットを介してそれぞれ放射状に配置された第２領域とを備えたことを特徴とする請求項１〜５のいずれか１項に記載の照明ユニット。
【請求項７】
請求項１に記載の照明ユニットの適数個と前記請求項２又は３に記載の照明ユニットの適数個とを四角形状に並ぶように縦横に配置した照明群と、
前記照明群を収容する照明筐体と、
前記照明筐体の上開口部に取り付けた透光性パネルとを備えたことを特徴とする照明装置。
【請求項８】
有底開口の逆載頭錐体状の第１の反射部材と、
前記第１の反射部材の底中央部に設けられたＬＥＤ光源と、
前記ＬＥＤ光源の上方に前記第１の反射部材と対向して設けられ、前記ＬＥＤ光源から放射される光を均一化して透過させる第２の反射部材と、
前記第２の反射部材の上面に前記第２の反射部材を覆うように取着して設けられ、前記第２の反射部材の透過光及び前記第１の反射部材からの反射光を拡散透過させて面光源とする拡散部材とを備えたことを特徴とする照明ユニット。
【請求項９】
有底開口の逆載頭錐体の反射区画を縦横２区画ずつ全部で４区画有する第１の反射部材と、
前記第１の反射部材の各反射区画の底中央部に設けられた４個のＬＥＤ光源と、
前記４個のＬＥＤ光源各々の上方に前記反射区画各々と対向して設けられ、前記ＬＥＤ光源各々から放射される光を均一化して透過させる４個の第２の反射部材と、
前記４個の第２の反射部材各々の上面に前記第２の反射部材各々を覆うように取着され、前記第２の反射部材各々の透過光及び前記第１の反射部材からの反射光を拡散透過させて面光源とする４個の拡散部材とを備えたことを特徴とする照明ユニット。
【請求項１０】
前記４区画の反射区画について、隣接する他の反射区画との境界部分に前記拡散部材と同材で成る十字形の稜線部拡散部材を設置したことを特徴とする請求項９に記載の照明ユニット。
【請求項１１】
前記拡散部材は、前記第２の反射部材よりも広面積であり、
前記第２の反射部材は平板状であり、前記ＬＥＤ光源の直上領域を覆う第１領域と、前記第１領域の周縁部に前記第１領域と連続して配置され、スリットを介してそれぞれ放射状に配置された第２領域とを有していることを特徴とする請求項８〜１０のいずれか１項に記載の照明ユニット。
【請求項１２】
前記拡散部材が、表面に凹凸を有する光線反射率９７％以上の可撓性を有する熱可塑性樹脂シートで形成されていることを特徴とする請求項８〜１１のいずれか１項に記載の照明ユニット。
【請求項１３】
前記第１の反射部材及び第２の反射部材が、光線反射率９７％以上の熱可塑性樹脂で形成されていることを特徴とする請求項８〜１２のいずれか１項に記載の照明ユニット。
【請求項１４】
請求項８に記載の照明ユニットの適数個と請求項９又は１０に記載の照明ユニットの適数個とを四角形状に並ぶように縦横に配置した照明群と、
前記照明群を収容する照明筐体と、
前記照明筐体の上開口部に取り付けた透光性パネルとを備えたことを特徴とする照明装置。
【請求項１５】
有底開口の逆載頭錐体状の第１の反射部材を照明筐体内に複数個、四角形状に並ぶように縦横に配置し、
複数個のＬＥＤ光源それぞれを、前記複数個の第１の反射部材それぞれの底中央部に設置し、
前記複数個の第１の反射部材の全体の上面に拡散パネルを配置し、
前記拡散パネルの裏面の前記ＬＥＤ光源それぞれの上方に相当する位置に、前記第１の反射部材それぞれと対向するように、各ＬＥＤ光源から放射される光を均一化して透過させる複数個の第２の反射部材それぞれを取着し、
前記照明筐体の上開口部に透光性パネルを取り付けたことを特徴とする照明装置。
【請求項１６】
有底開口の逆載頭錐体の反射区画を縦横２区画ずつ全部で４区画有する第１の反射部材の１個乃至複数個を照明筐体内に四角形状に並ぶように配置し、
前記１個乃至複数個の第１の反射部材それぞれの各反射区画の底中央部に複数個のＬＥＤ光源それぞれを設置し、
前記１個乃至複数個の第１の反射部材の全体の上面に拡散パネルを配置し、
前記拡散パネルの裏面の前記ＬＥＤ光源それぞれの上方に相当する位置に、前記第１の反射部材それぞれと対向するように、各ＬＥＤ光源から放射される光を均一化して透過させる複数個の第２の反射部材それぞれを取着し、
前記照明筐体の上開口部に、透光性パネルを取り付けたことを特徴とする照明装置。
【請求項１７】
有底開口の逆載頭錐体状の第１の小反射部材の適数個と、有底開口の逆載頭錐体の反射区画を縦横２区画ずつ全部で４区画有する第１の大反射部材の適数個とを照明筐体内に四角形状に並ぶように縦横に配置し、
複数個のＬＥＤ光源それぞれを、前記適数個の第１の小反射部材それぞれの底中央部と前記適数個の第１の大反射部材それぞれの各反射区画の底中央部に設置し、
前記複数個の第１の小反射部材と第１の大反射部材との全体の上面に拡散パネルを配置し、
前記拡散パネルの裏面の前記ＬＥＤ光源それぞれの上方に相当する位置に、前記第１の小反射部材と第１の大反射部材の各反射区画とのそれぞれに対向するように、各ＬＥＤ光源から放射される光を均一化して透過させる複数個の第２の反射部材それぞれを取着し、
前記照明筐体の上開口部に、透光性パネルを取り付けたことを特徴とする照明装置。
【請求項１８】
前記第２の反射部材は、前記ＬＥＤ光源の直上領域を覆う第１領域と、前記第１領域の周縁部に前記第１領域と連続して配置され、スリットを介してそれぞれ放射状に配置された第２領域とを備えたことを特徴とする請求項１５〜１７のいずれか１項に記載の照明装置。
【発明の詳細な説明】
【技術分野】
【０００１】
本発明は、照明ユニット及びこれを用いた照明装置に関する。
【背景技術】
【０００２】
従来、様々な情報を伝達する手段の１つとして、照明を利用した表示板が利用されている。これらの表示板の多くは、表示面（出射面）の背面側に光源を設置し、光源から光を照射することによって、表示面を明るくし、情報を可視化している。そしてその光源としては、蛍光灯、発光ダイオード（ＬＥＤ）等が用いられている。
【０００３】
しかしながら、蛍光灯はＬＥＤに比べて熱量が大きく消費電力も大きいため、表示板の光源として利用する場合には、表示面が熱くなりすぎたり、蛍光灯の交換を頻繁に行わなければならなかったりする等の問題点がある。また、蛍光灯の位置に沿って輝度が高くなるため、輝度むらが生じやすく、表示品質の悪化を招く恐れもある。
【０００４】
一方、ＬＥＤは、蛍光灯に比べて発光効率が高く、消費電力が低く、寿命が比較的長いため、表示板の照明装置としての利用価値は高い。しかしながら、最適照度を得るために、ＬＥＤと表示面板との距離を最短距離に設定する必要があるため、サイズ選定の自由度が低く、装置の薄型化が図りにくい。また、出射する光が反射して届く範囲は限られるため、反射光のすべてを光源として有効活用できない問題点もあった。
【０００５】
ＬＥＤ光源が出射する光をリフレクタを介して反射させることにより、光源が出射する光を広範囲に反射させて反射光を有効活用し、少ない光源数でも照度を上げるように工夫した光源反射ユニットが開発されている（例えば、特許文献１参照）。
【０００６】
しかしながら、ＬＥＤは指向性が高いため、ＬＥＤからの直接光成分が表示面に出射されて輝度むらが生じる場合がある。特に看板、ディスプレイ装置等の比較的広い表示面を持つ装置にＬＥＤを適用する場合には、少ない光源数で薄型化を実現し、かつ表示面全体に対して最適照度で均一な光量分布を得ることは難しい。
【先行技術文献】
【特許文献】
【０００７】
【特許文献１】特開２００８−２１６９４８号公報
【発明の概要】
【発明が解決しようとする課題】
【０００８】
上記問題点に鑑み、本発明は、少ない光源数でも照度を上げることができ、薄型化が可能で、かつ輝度むらが少なく表示面全体に対して均一な光量分布を得ることが可能な照明ユニット及び照明装置を提供する。
【課題を解決するための手段】
【０００９】
本発明の１の特徴は、有底開口の逆載頭錐体状の第１の反射部材と、前記第１の反射部材の底中央部に設けられたＬＥＤ光源と、前記ＬＥＤ光源の上方に前記第１の反射部材と対向して設けられ、前記ＬＥＤ光源から放射される光を均一化して透過させる第２の反射部材と、前記第２の反射部材の上方に前記第１の反射部材の開口を覆って設けられ、前記第２の反射部材の透過光及び前記第１の反射部材からの反射光を拡散透過させて面光源とする拡散部材とを備えた照明ユニットである。
【００１０】
本発明の別の特徴は、有底開口の逆載頭錐体の反射区画を縦横２区画ずつ全部で４区画有する第１の反射部材と、前記第１の反射部材の各反射区画の底中央部に設けられた４個のＬＥＤ光源と、前記４個のＬＥＤ光源各々の上方に前記反射区画各々と対向して設けられ、前記ＬＥＤ光源各々から放射される光を均一化して透過させる４個の第２の反射部材と、前記４個の第２の反射部材各々の上面に前記第２の反射部材各々を覆って設けられ、前記第２の反射部材各々の透過光及び前記第１の反射部材からの反射光を拡散透過させて面光源とする４個の拡散部材とを備えた照明ユニットである。
【００１１】
また、本発明の別の特徴は、上記照明ユニットの適数個を四角形状に並ぶように縦横に配置した照明群と、前記照明群を収容する照明筐体と、前記照明筐体の上開口部に取り付けた透光性パネルとを備えた照明装置である。
【００１２】
また、本発明の別の特徴は、有底開口の逆載頭錐体状の第１の反射部材と、前記第１の反射部材の底中央部に設けられたＬＥＤ光源と、前記ＬＥＤ光源の上方に前記第１の反射部材と対向して設けられ、前記ＬＥＤ光源から放射される光を均一化して透過させる第２の反射部材と、前記第２の反射部材の上面に前記第２の反射部材を覆うように取着して設けられ、前記第２の反射部材の透過光及び前記第１の反射部材からの反射光を拡散透過させて面光源とする拡散部材とを備えた照明ユニットである。
【００１３】
また、本発明の別の特徴は、有底開口の逆載頭錐体の反射区画を縦横２区画ずつ全部で４区画有する第１の反射部材と、前記第１の反射部材の各反射区画の底中央部に設けられた４個のＬＥＤ光源と、前記４個のＬＥＤ光源各々の上方に前記反射区画各々と対向して設けられ、前記ＬＥＤ光源各々から放射される光を均一化して透過させる４個の第２の反射部材と、前記４個の第２の反射部材各々の上面に前記第２の反射部材各々を覆うように取着され、前記第２の反射部材各々の透過光及び前記第１の反射部材からの反射光を拡散透過させて面光源とする４個の拡散部材とを備えた照明ユニットである。
【００１４】
また、本発明の別の特徴は、上記照明ユニットの適数個を四角形状に並ぶように縦横に配置した照明群と、前記照明群を収容する照明筐体と、前記照明筐体の上開口部に取り付けた透光性パネルとを備えた照明装置である。
【００１５】
また、本発明の別の特徴は、有底開口の逆載頭錐体状の第１の反射部材を照明筐体内に複数個、四角形状に並ぶように縦横に配置し、複数個のＬＥＤ光源それぞれを、前記複数個の第１の反射部材それぞれの底中央部に設置し、前記複数個の第１の反射部材の全体の上面に拡散パネルを配置し、前記拡散パネルの裏面の前記ＬＥＤ光源それぞれの上方に相当する位置に、前記第１の反射部材それぞれと対向するように、各ＬＥＤ光源から放射される光を均一化して透過させる複数個の第２の反射部材それぞれを取着し、前記照明筐体の上開口部に透光性パネルを取り付けた照明装置である。
【００１６】
また、本発明の別の特徴は、有底開口の逆載頭錐体の反射区画を縦横２区画ずつ全部で４区画有する第１の反射部材の１個乃至複数個を照明筐体内に四角形状に並ぶように配置し、前記１個乃至複数個の第１の反射部材それぞれの各反射区画の底中央部に複数個のＬＥＤ光源それぞれを設置し、前記１個乃至複数個の第１の反射部材の全体の上面に拡散パネルを配置し、前記拡散パネルの裏面の前記ＬＥＤ光源それぞれの上方に相当する位置に、前記第１の反射部材それぞれと対向するように、各ＬＥＤ光源から放射される光を均一化して透過させる複数個の第２の反射部材それぞれを取着し、前記照明筐体の上開口部に、透光性パネルを取り付けた照明装置である。
【００１７】
さらに、本発明の別の特徴は、有底開口の逆載頭錐体状の第１の小反射部材の適数個と、有底開口の逆載頭錐体の反射区画を縦横２区画ずつ全部で４区画有する第１の大反射部材の適数個とを照明筐体内に四角形状に並ぶように縦横に配置し、複数個のＬＥＤ光源それぞれを、前記適数個の第１の小反射部材それぞれの底中央部と前記適数個の第１の大反射部材それぞれの各反射区画の底中央部に設置し、前記複数個の第１の小反射部材と第１の大反射部材との全体の上面に拡散パネルを配置し、前記拡散パネルの裏面の前記ＬＥＤ光源それぞれの上方に相当する位置に、前記第１の小反射部材と第１の大反射部材の各反射区画とのそれぞれに対向するように、各ＬＥＤ光源から放射される光を均一化して透過させる複数個の第２の反射部材それぞれを取着し、前記照明筐体の上開口部に、透光性パネルを取り付けた照明装置である。
【発明の効果】
【００１８】
本発明によれば、少ない光源数でも照度を上げることができ、薄型化が可能で、かつ輝度むらが少なく表示面全体に対して均一な光量分布を得ることが可能な照明ユニット及び照明装置が提供できる。
【図面の簡単な説明】
【００１９】
【図１】本発明の第１の実施の形態の照明ユニットの断面図。
【図２】本発明の第１の実施の形態の照明ユニットの上面図であり、ユニット側拡散部材を一部を破断して示した上面図。
【図３Ａ】本発明の第１の実施の形態の照明ユニットにおける第２の反射部材の平面図。
【図３Ｂ】本発明の第１の実施の形態の照明ユニットにおける第２の反射部材の側面図。
【図４】本発明の第１の実施の形態の照明ユニットを用いて構成した照明装置の断面図。
【図５】本発明の第１の実施の形態の照明ユニットを用いて構成した照明装置の正面図であり、ユニット側拡散部材及び筐体側透光パネルの一部を破断して示した上面図。
【図６Ａ】本発明の第１の実施の形態の照明ユニットを用いて構成した照明装置において、第２の反射部材のスリットの幅を一定に設定した場合に光源を発光させた際の照射イメージ図。
【図６Ｂ】図６Ａの第２の反射部材の上方に筐体側透光パネルとしてアクリル板を置き、ユニット側拡散部材を用いない状態のままに光源を発光させた場合のアクリル板の上面からみたイメージ図。
【図６Ｃ】本発明の第１の実施の形態の照明ユニットを用いて構成した照明装置において、第２の反射部材とアクリル板との間にユニット側拡散部材を配置した状態で光源を発光させた際のイメージ図。
【図７】本発明の第１の実施の形態の照明ユニットを用いて構成した照明装置における反射光の例を示す説明図。
【図８】本発明の第２の実施の形態の照明装置の概略平面図。
【図９】本発明の第２の実施の形態の照明装置の断面図。
【図１０】本発明の第３の実施の形態の照明ユニットを用いて構成した照明装置の断面図。
【図１１】本発明の第３の実施の形態の照明ユニットを用いて構成した照明装置の上面図であって、ユニット側拡散部材と筐体側透光パネルとの一部を破断して示した上面図。
【図１２Ａ】本発明の第４の実施の形態の４区画型の照明ユニットの上面図であり、ユニット側拡散部材の一部を破断して示した上面図。
【図１２Ｂ】本発明の第４の実施の形態の４区画型の照明ユニットの断面図。
【図１３】本発明の第４の実施の形態の４区画型の照明ユニットを用いて構成した４光源型の照明装置の斜視図であって、ユニット側拡散部材と筐体側透光パネルの一部を破断して示した斜視図。
【図１４】本発明の第４の実施の形態の１区画型の照明ユニットの上面図。
【図１５】本発明の第４の実施の形態の４区画型の照明ユニットの上面図。
【図１６】本発明の第５の実施の形態の照明装置の一例の平面図。
【図１７】本発明の第５の実施の形態の照明装置の他の例の平面図。
【図１８】本発明の第６の実施の形態の照明ユニットの断面図。
【図１９】本発明の第６の実施の形態の照明ユニットの上面図であって、ユニット側拡散部材の一部を破断して示した上面図。
【図２０Ａ】本発明の第６の実施の形態の照明ユニットにおける第２の反射部材の平面図。
【図２０Ｂ】本発明の第６の実施の形態の照明ユニットにおける第２の反射部材の側面図。
【図２１】本発明の第７の実施の形態の４光源型の照明装置の斜視図であって、ユニット側拡散部材と筐体側透光パネルの一部を破断して示した斜視図。
【図２２】本発明の第８の実施の形態の４区画型の照明ユニットを用いて構成した４光源型の照明装置の斜視図であって、ユニット側拡散パネルと筐体側拡散透光パネルを開いた状態の斜視図。
【図２３】本発明の第８の実施の形態の１区画型の照明ユニットの第１の反射部材の上面図。
【図２４】本発明の第８の実施の形態の４区画型の照明ユニットの第１の反射部材の上面図。
【図２５】本発明の第９の実施の形態の照明装置の一例のユニット側拡散パネルと筐体側拡散透光パネルとを外した状態の平面図。
【図２６】本発明の第９の実施の形態の照明装置の一例のユニット側拡散パネルの裏面図。
【図２７】本発明の第９の実施の形態の照明装置の別例のユニット側拡散パネルと筐体側拡散透光パネルとを外した状態の平面図。
【図２８】本発明の第９の実施の形態の照明装置の別例のユニット側拡散パネルの裏面図。
【図２９】本発明の第１０の実施の形態の４区画型の照明ユニットを用いて構成した４光源型の照明装置の斜視図であって、ユニット側拡散パネルと筐体側拡散透光パネルを開いた状態の斜視図。
【図３０】本発明の第１０の実施の形態の１区画型の照明ユニットの第１の反射部材の上面図。
【図３１】本発明の第１０の実施の形態の４区画型の照明ユニットの第１の反射部材の上面図。
【図３２】本発明の第１１の実施の形態の照明装置の一例のユニット側拡散パネルと筐体側拡散透光パネルとを外した状態の平面図。
【図３３】本発明の第１１の実施の形態の照明装置の別例のユニット側拡散パネルと筐体側拡散透光パネルとを外した状態の平面図。
【図３４】本発明の第１２の実施の形態の４区画型の照明ユニットにおける第１の反射部材の底面図。
【発明を実施するための形態】
【００２０】
以下、本発明の実施の形態を図に基づいて詳説する。尚、以下の図面の記載においては、同一又は類似の部分には同一又は類似の符号を付して示している。
【００２１】
（第１の実施の形態）
図１、図２に本発明の第１の実施の形態の照明ユニット１ａを示し、図４、図５にこの照明ユニット１ａを１体用いて構成した照明装置１０ａを示している。図１、図２に示すように、本実施の形態の照明ユニット１ａは、有底開口の逆戴頭錐体状の第１の反射部材２と、第１の反射部材２の底中央部に設けられた光源（ＬＥＤ光源）３と、光源３の上方に設けられ、光源３から放射される光を均一化して透過させる第２の反射部材４と、第２の反射部材４の上面に第２の反射部材４を覆うように取着して設けられ、第２の反射部材４の透過光を拡散透過させて面光源とする拡散部材５とを備えている。
【００２２】
第１の反射部材２は、矩形状の底面２ａと、底面２ａの端から外側に向かって次第に上方向（光の出射方向）に傾斜する傾斜部２ｂを有している。底面２ａの中央部には開口部２ｄが設けられている。この第１の反射部材２は、上面からみた形状が正方形状を有し、１辺の長さＬ５は約１４５ｍｍ（図５参照）である。底面２ａは正方形状を有し、１辺の長さＬ６は約８５ｍｍ（図５参照）である。
【００２３】
光源３は、第１の反射部材２の開口部２ｄから露出されている。光源３としては、照明用途に好適な、白色光を照射させるＬＥＤ光源が好ましい。白色光を照射させるＬＥＤ光源としては、例えば青色光を出力するＬＥＤチップとイットリウム・アルミニウム・ガーネット（ＹＡＧ）等の黄色蛍光体を含む蛍光発光部とを積層した箱型のＬＥＤパッケージ等が採用可能である。
【００２４】
図３Ａ及び図３Ｂに示すように、第２の反射部材４は、光源３の直上領域を覆う矩形の第１領域４１と、第１領域４１の周縁部に放射状（羽状）に配置された第２領域４２と、第１領域４１及び第２領域４２を支えるための脚部４４を備える。第２領域４２には、放射状のスリット４３が形成されている。脚部４４は、その基部４４ａが第１の反射部材２に固定され、傾斜した支柱部４４ｂにて第１領域４１及び第２領域４２を支えている。
【００２５】
図４、図５に示すように、本実施の形態の照明装置１０ａは、図１、図２に示した照明ユニット１ａをその周囲と底面を包囲する上面開口の筐体７に収容し、この筐体７の上面開口に透光拡散パネル６を取り付けることによって構成される。
【００２６】
通常ＬＥＤパッケージの光源３は、指向性が強いため中央部分が明るい。第２の反射部材４のスリット４３の幅をほぼ一定に設定し、光源３を発光させた場合、光源３から出た光は、第１の反射部材２及び第２の反射部材４の間で反射又は透過していく光と第２の反射部材４の裏面で反射する光とがある。第２の反射部材４の裏面を反射する光は、第１の反射部材２及び第２の反射部材４間で何度か反射を繰り返していく途中でスリット４３を透過して上方に出て行く。
【００２７】
第２の反射部材４の上方に拡散部材５を設置せずに、照明筐体７に収容して筐体側の透光拡散パネル６だけで光を拡散させる場合でも、第２の反射部材４の第１領域４１によって、光源３から出射される直接光の透光拡散パネル６上への直接照射が抑制される。尚、第２の反射部材４のスリット４３の幅を同一に設定した場合は、光源３が配置された中央部分から透過する光の強度が強く、周辺部から透過する光の強度が弱い。このため、第１領域４１の中央部分の光の強度が強い光が筐体側透光パネル６に映し出されると共に、第２の反射部材４と相似形の影が、透光拡散パネル６上へ投影されてしまう。ところが、本実施の形態のように、照明ユニット１ａ側の第２の反射部材４の上方に拡散部材５を配置することにより、スリット４３の幅を同一とした場合においても、照明装置１０ａとして、光量の均一化を図った面発光が実現できる。
【００２８】
第２の反射部材４の面内における光量をより均一化させて、透過拡散光を筐体側透光拡散パネル６の面へ効率良く投影させるためには、スリット４３の幅を、光強度の強い中心部において小さくする（絞る）のが好ましい。そして、光の強度が弱くなる第２の反射部材４の周辺部にいくほどスリット４３の幅を大きくすることにより、周辺部の光の透過面積を大きく設定するのが好ましい。
【００２９】
このため、スリット４３の幅は、図３Ａに示すように、第２の反射部材４の中心部から周辺部に向かって徐々に幅が広くなるように設定している。また、図３Ａに示すスリットの幅Ｌ２は、スリットの幅Ｌ３よりも大きく設定している。例えば、図５に示す第１の反射部材２の辺長さＬ５を約１４５ｍｍとし、底面２ａの辺長さＬ６を約８５ｍｍとした場合に、図３Ａに示す中央部の正方形の第１領域４１の辺長さＬ１は約１０ｍｍ、スリットの長さＬ２は約４．５ｍｍ、スリットの長さＬ３は約４．６６ｍｍ、正方形の第２領域４２の辺長さＬ４は約６０ｍｍとすることができる。
【００３０】
図１、図４に示すように、第２の反射部材４の第１領域４１は、第１の反射部材２の底面２ａから高さｈ１の位置に配置されている。第２領域４２の外端部は底面２ａから高さｈ１＋ｈ２の位置に配置されている。第２領域４２の外端部とユニット側拡散部材５は、高さｈ３だけ離間して配置されている。尚、図４に示すように、照明ユニット１ａの高さｈ（＝ｈ１＋ｈ２＋ｈ３）を約３０ｍｍとした場合、高さｈ１は約１９ｍｍ、高さｈ２は約３ｍｍ、高さｈ３は約８ｍｍである。
【００３１】
長さＬ１〜Ｌ６及び高さｈ１〜ｈ３は、光源３の特性や要求される照度等によって変化させることができる。上記のサイズは、例えば光源３として３Ｖ、３５０ｍＡ、１．０５ＷのＬＥＤパッケージを用いる場合の一例である。
【００３２】
第１の反射部材２としては、光線反射率９７％以上の光反射性を有する熱可塑性樹脂が好適に用いられる。「熱可塑性樹脂」としては、例えば、ポリエチレン系樹脂、ポリプロピレン系樹脂などのポリオレフィン系樹脂、ポリエステル系樹脂、ポリアクリル酸メチルなどのアクリル系樹脂、ポリ塩化ビニル系樹脂、ポリ塩化ビニリデン系樹脂、フッ素系樹脂、ポリエーテル系樹脂、ポリアミド系樹脂、ポリウレタン系樹脂、ポリブタジエンなどのジエン系樹脂等がある。中でも、熱成形性等の観点からポリオレフィン系樹脂を使用するのが好ましい。熱可塑性樹脂の光反射率は、上記の熱可塑性樹脂中に酸化チタン、二酸化チタン、炭酸カルシウムなどの無機充填剤を含有させることによって付与される。第１の反射部材２の表面は凹凸を有していてもよい。
【００３３】
第１の反射部材２に使用される熱可塑性樹脂の光線反射率としては、９７％以上が好ましく、９８％以上がより好ましい。このような熱可塑性樹脂材料としては、例えば、積水化成品工業株式会社製の「レフテラス（登録商標）」が採用可能である。この熱可塑性樹脂材料は、ＪＩＳ  Ｋ７１４５に準拠して全反射光測定を行った場合における波長５５０ｎｍの光反射率を測定し、標準反射板として硫酸バリウム板を用いた場合の光線反射率を１００とした際に９７％以上の光線反射率を実現する材料である。
【００３４】
第２の反射部材４の材料は、第１の反射部材２の材料と同様に、光線反射率９７％以上の光反射性を有する熱可塑性樹脂が好適に用いられる。光線反射率９７％以上の光反射性を有する熱可塑性樹脂を用いることによって、銀又はアルミニウム等の金属を表面に蒸着させた従来の材料を利用する場合に比べて、反射光の減衰を抑制でき、光源３からの出射光をより効率よく表示面へ出射させることができる。第２の反射部材４の表面及び裏面には、凹凸を有してもよい。
【００３５】
ユニット側拡散部材５は、微細な孔を有し可撓性（柔軟性）を有する熱可塑性樹脂シートで構成されており、光線反射率９７％以上の材料が好ましい。「熱可塑性樹脂シート」とは、例えばポリプロピレン系樹脂積層発泡層を含む光反射部材等が好適に用いられ、例えば、積水化成品工業株式会社製の「レフテラス（登録商標）」が採用可能である。この熱可塑性樹脂積層シートは、表面に発泡層の気泡によって形成された表面粗さＲａが０．４〜５．０μｍ程度の凹凸面を有している。
【００３６】
ユニット側拡散部材５に使用される熱可塑性樹脂積層シートの光線反射率としては、９７％以上が好ましく、９９％以上がより好ましい。ユニット側拡散部材５の厚みとしては、０．０１〜０．１５ｍｍ程度が好ましい。ユニット側拡散部材５の材料として、凹凸面を有する光線反射率９７％以上の熱可塑性樹脂積層材を利用することにより、ユニット側拡散部材５に入射する光を凹凸面が拡散反射させるため、光をより均一に拡散させることができる。これにより、輝度むらを防ぎ、板状の筐体側透光パネル６の出射面に対して均一な光を面発光させることが可能となる。また、微細な孔を有し柔軟性を有する熱可塑性樹脂シートを用いることにより、取り扱いが容易となる。
【００３７】
筐体側透光パネル６としては、看板の表示面としても利用可能なガラス板、ポリカーボネート板、アクリル板等の透光性材料が好適に用いられる。また、第１の反射部材２又は第２の反射部材４と同質の材料を用いても構わない。
【００３８】
図４に示すように、筐体側透光パネル６は、ユニット側拡散部材５から距離ｄだけ離間させて配置する。この距離ｄは、要求される照度、ＬＥＤの特性等によってそれぞれ変化するが、例えば筐体側透光パネル６として３ｍｍのアクリル板を使用し、板面照度を３０００ルクス以上必要とする場合には、距離ｄは１０ｍｍ程度離間させることが好ましい。より好ましくは１０〜２０ｍｍ程度とするのが好ましい。これにより、図１、図２に示す照明ユニット１ａを用いて構成される図４、図５に示すような照明装置１０ａとして、筐体側透光パネル６の板面の表面全面に対して均一な分布の光で照明する照明装置が得られる。
【００３９】
図６Ａに、第２の反射部材４のスリット４３の幅をほぼ一定に設定した場合において、光源３を発光させた場合の照射イメージ図を示す。通常ＬＥＤパッケージの光源３は、指向性が強いため、中央部分が明るい。光源３から出た光は、第１の反射部材２及び第２の反射部材４の間で反射又は透過していく光と第２の反射部材４の裏面で反射する光とがある。第２の反射部材４の裏面を反射する光は、第１の反射部材２と第２の反射部材４との間で何度か反射を繰り返していく途中でスリット４３から透過する。
【００４０】
図６Ｂは、図６Ａの第２の反射部材４の上方に筐体側透光パネル６としてアクリル板を置いた場合のアクリル板の上面からみたイメージ図である。第２の反射部材４の第１領域４１によって、光源３から出射される直接光のアクリル板上へ直接照射が抑制されている。尚、第２の反射部材４のスリット４３の幅を同一に設定した場合は、光源３が配置された中央部分から透過する光の強度が強く、周辺部から透過する光の強度が弱い。このため、第１領域４１の中央部分の光の強度が強い光がアクリル板に映し出されると共に、第２の反射部材４と相似形の影８が、アクリル板上へ投影されているのが分かる。
【００４１】
図６Ｃは、第２の反射部材４とアクリル板との間に後述するユニット側拡散部材５を配置した場合のイメージ図である。第２の反射部材４のスリット４３の幅を同一とした場合においても、拡散部材５を配置し、アクリル板を拡散部材５から一定距離以上離間させることによって、光量の均一化された面発光が実現されることが分かる。
【００４２】
図７は、光源３から出射される光の反射及び透過の様子の例を表す概念図である。光源３から出た光は、第１の反射部材２及び第２の反射部材４の表面において拡散反射等も生じているが、図示を一部省略している。例えば、光源３から出た光Ｉ１は、第２の反射部材４の裏面で反射し（一回反射）、その後、第１の反射部材２の表面で反射（二回反射）した後に、再び第２の反射部材４の裏面側へ入射する。この際、第２の反射部材４の入射面にスリット４３（図示せず）がある場合は、そのまま拡散部材５側へ透過する。一方、光源３から直接に第１の反射部材２の傾斜部２ｂに入射する光Ｉ２もあり、この光Ｉ２は傾斜部２ｂにて反射され、その反射光が一回反射だけで拡散部材５へ入射する。拡散部材５に入射した光は、表面の凹凸面で拡散反射される。同時に、凹凸面で拡散反射されずに拡散部材５内に入射した光が、気泡を有する熱可塑性樹脂と気泡内の空気との界面において大きく屈折して拡散反射し、筐体側透光パネル６側へ出射されて、筐体側透光パネル６により面発光が実現される。
【００４３】
このように、本実施の形態の照明ユニット１ａによれば、光源３から出射された光を光線反射率９７％以上の熱可塑性樹脂で形成された第１の反射部材２によって広範囲に反射させることができるため、少ない光源数でも照度を上げることができる。また、光源３の上方に光線反射率９７％以上の熱可塑性樹脂で形成された第２の反射部材４を光源３と対向させて配置することにより、光源３からの光の光量を第２の反射部材４の面内で均一化させて、ユニット側拡散部材５側へ透過させることができる。さらに、微細な孔を有し可撓性（柔軟性）を有する熱可塑性樹脂シートで構成されたユニット側拡散部材５を用いることにより、第２の反射部材４から透過した光及び第１の反射部材２の表面を反射した光を効率良く筐体側透光パネル６へ拡散反射及び透過させることができ、輝度むらが少なく、表示面全体に対して均一に光量分布する照明ユニットが実現できる。
【００４４】
（第２の実施の形態）
図８、図９を用いて、本発明の第２の実施の形態の照明装置１００ａについて説明する。本実施の形態の照明装置１００ａは、図１〜図３を用いて説明した本発明の第１の実施の形態の照明ユニット１ａを６×１２の行列状に配置させた照明群をその四周と底面とを包囲するように上面開口の筐体１７ａに収容した構成である。
【００４５】
多数体の照明ユニット１ａで構成される照明群に接続された電源１２と、筐体１７ａの上面開口部に、照明群の光出射面全面を覆うように配置された透光性の筐体側透光パネル１６ａを備える。この筐体側透光パネル１６ａは、図４、図５に示した筐体側透光パネル６に代えて、広面積の１枚ものを照明装置１００ａの表面全体に設置している。
【００４６】
筐体１７ａの内部には、光源３に接続された配線や電源１２等を収納するためのベース１１が設けられている。ベース１１上には、固定具（図示せず）等を介して複数の照明ユニット１ａが固定されている。光源３の配線は、ベース１１内のコネクタ１３によってそれぞれ接続されている。筐体側透光パネル１６ａとしては、看板の表示面としても利用可能なガラス板、ポリカーボネート板、アクリル板等の光透過性部材が用いられる。
【００４７】
尚、図８及び図９に示す照明装置１００ａは、照明ユニット１ａを行列状に配置して、７５．６Ｗ（＝６×１２×１．０５Ｗ）、１８００ｍｍ×９００ｍｍの内照明光源看板として利用する例を示しているが、他にも、照明ユニット１ａの縦横に並べる数を調整することによって様々な大きさ、形の照明装置に応用可能である。
【００４８】
ユニット側拡散部材５と筐体側透光パネル１６ａとの間の距離ｄは、例えば３０００ルクス以上の照度が必要とされる場合には、１０〜２０ｍｍ程度離間させることが好ましい。これにより、薄型化が実現でき、表示面全面に対して均一な光を照射することができる。
【００４９】
第２の実施の形態の照明装置１００ａによれば、ユニット側拡散部材５から面発光した光を筐体側透光パネル１６ａに透過させることにより、少ない光源数でも照度を上げることができ、薄型化が可能で、輝度むらが少なく表示面全体に対して均一な光量分布を得ることが可能な照明装置が提供できる。
【００５０】
（第３の実施の形態）
図１０及び図１１に用いて、本発明の第３の実施の形態の照明ユニット１ｂ及び照明装置１０ｂについて説明する。本実施の形態の照明ユニット１ｂは、第１の反射部材２の傾斜部２ｂが、凸状の曲面形状（鞍型形状）を有する点が、図１、図２に示した第１の実施の形態の照明ユニット１ａと異なる。尚、第１の反射部材２の形状は、例えばシート状の熱可塑性樹脂を、金型などを用いて一括プレス加工により成型される。第２の反射部材４は、第１の実施の形態と実質的に同様である。また、ユニット側拡散部材５、筐体側透光パネル６についても同様である。
【００５１】
このように、本実施の形態の照明ユニット１ｂ及び照明装置１０ｂによれば、第１の反射部材２の傾斜部２ｂが曲面状（鞍型形状の一部）となるため、光源３の中心から距離が遠くなる照明装置１０ｂの筐体７の四隅方向にも光を反射、散乱させることができる。このため、筐体７内での照度を上げることができると共に輝度むらを少なくし、表示面全体に対して均一な光量分布による照度を得ることが可能な照明ユニット及び照明装置が実現できる。
【００５２】
尚、第３の実施の形態の照明ユニット１ｂについても、図８、図９に示すように第１の実施の形態の照明ユニット１ａと同様に多数体を行列状に配置し、その四周と底面を包囲するように筐体１７ａに収容し、電源１３等の電気系統を配置することにより、第２の実施の形態と同様の構成の照明装置１００ａを構成することができる。
【００５３】
（第４の実施の形態）
図１２Ａ、図１２Ｂを用いて、本発明の第４の実施の形態の照明ユニット１ｃについて説明する。本実施の形態の照明ユニット１ｃでは、第１の反射部材２は底面２ａに対して、その４辺それぞれから凸状の曲面形状（鞍型形状）を有し立ち上がる傾斜部２ｂを形成した上面から見て正方形の小区画を縦横４区画同時に形成し、その全体において周縁に位置する傾斜部２ｂの端縁から垂直に縁部２ｃを立ち上がらせ、縁部２ｃの上端が正方形をなす形状としている。小区画それぞれにおける底面２ａの形状は第３の実施の形態と同様である。この第１の反射部材２は、例えばシート状の熱可塑性樹脂を、金型などを用いて一括プレス加工により成型される。
【００５４】
第１の反射部材２の各小区画の底面２ａの中心部に第１、第３の実施の形態と同様にＬＥＤ光源３を設置している。また、各小区画の光源３の上方に第３の実施の形態と同様の第２の反射部材４を設置している。
【００５５】
また、ユニット側拡散部材５ａは、第２の反射部材４の第２領域４３の正方形よりも大きく、第２領域４３の全体を覆い隠す大きさの正方形状に形成し、４個の第２の反射部材４それぞれに対してその第２領域４３の上に設置している。
【００５６】
さらに、本実施の形態の照明ユニット１ｃでは、第１の反射部材２の縦横の中心線上に十字状に位置する４個の傾斜部２ｂそれぞれの稜線部分に沿うように十字状の稜線部拡散部材１８を設置している。この稜線部拡散部材１８は、拡散部材５ａと同等の素材にて形成してあり、同様の働きをし、中心線上に十字状に位置する４個の傾斜部２ｂそれぞれの稜線部分が暗くならないように４個の光源３からの光を反射拡散させる。これにより、本実施の形態の４光源を備えた照明ユニット１ｃは、全体で均一に面発光するようにしている。尚、第１の反射部材２の各小区画の寸法、光源の仕様等は第１、第３の実施の形態の照明ユニット１ａ，１ｂと同様である。そのため、本実施の形態の場合、ユニット１ｃとしての一辺の長さは第１、第３の実施の形態のものの２倍で２９０ｍｍ×２９０ｍｍであり、高さは約３０ｍｍである。
【００５７】
本実施の形態の照明ユニット１ｃは、図１３に示すように１体だけで４光源の照明装置１０ｃとして使用することができる。図１３に示す照明装置１０ｃは、図１２Ａ、図１２Ｂに示した第４の実施の形態の照明ユニット１ｃを、その四周と底面を包囲する上面から見て正方形状の上面開口する筐体７に収容し、図９に示したものと同様に電源系統を４個の光源３に接続することにより、４光源の照明装置としたものである。筐体側透光パネル６は約３００ｍｍ×３００ｍｍの正方形である。この照明装置１０ｃは面照明装置として使用する。
【００５８】
これにより、本実施の形態の４光源を備えた照明装置１０ｃは、４光源の照明ユニット１ｃを採用した照明装置であるので、全体で均一に面発光できる面照明装置となる。例えば、４個の光源３それぞれとして１ＷのＬＥＤチップを使用し、３５０ｍＡの電流を流した場合に、照射面上の任意の測定ポイントでほぼ３０００ルクス以上の照度が得られる。
【００５９】
尚、上記の第４の実施の形態の説明は、４個の光源３を備えた４連の小区画から構成される照明ユニット１ｃについて行った。しかしながら、本実施の形態は、これに限らず、図１４に示すように１個の小区画に相当する構成の照明ユニット１ｄに適用することもできる。
【００６０】
（第５の実施の形態）
本発明の第５の実施の形態の照明装置について説明する。本実施の形態の照明装置は、図１４に示す１区画の照明ユニット１ｄ（第４の実施の形態の１区画構成の照明ユニット）と図１５に示す４区画の照明ユニット１ｃ（第４の実施の形態の４区画構成の照明ユニット）を適数個使用して構成される。
【００６１】
図１４に示す１区画の照明ユニット１ｄについては、これを１体だけ、上面から見て正方形状の筐体に収容し、その筐体の上面開口に筐体側透光パネルを取り付けることにより１光源型の照明装置を構成できる。また、図１５に示す４区画の照明ユニット１ｃについては、これを１体だけ用いて、上面から見て正方形状の筐体に収容し、その筐体の上面開口に筐体側透光パネルを取り付けることにより、図１３に示した４光源型の照明装置１０ｃを構成できる。１光源型の場合、収容筐体は外周寸法が１５０ｍｍ×１５０ｍｍであり、内法の寸法が１４５ｍｍ×１４５ｍｍである。また、４光源型の場合、収容筐体７は、外周寸法が３００ｍｍ×３００ｍｍであり、内法が２９０ｍｍ×２９０ｍｍである。
【００６２】
図１６は、第５の実施の形態の一例の照明装置１１０−１を示し、図１４に示した第４の実施の形態の１区画の照明ユニット１ｄ（以下、識別子としてＳＬＵ−１と記す）と図１５に示した４区画型の照明ユニット１ｃ（以下、識別のためにＳＬＵ−４と記す）とを、ＳＬＵ−１×２個、ＳＬＵ−４×２個、筐体１７−１に収容した構成であり、縦３００ｍｍ、横７５０ｍｍの平面照明装置である。
【００６３】
また、図１７に示す照明装置１１０−２は、ＳＬＵ−４×４個を筐体１７−２に収容した構成であり、縦６００ｍｍ、横６００ｍｍの正方形の平面照明装置である。
【００６４】
このようにして、本実施の形態の照明装置１１０−１、１１０−２によれば、ＳＬＵ−１の適数個とＳＬＵ−４の適数個を適宜に組み合わせて配列することにより、ほぼ任意の形状及び寸法、面積の平面照明装置を構成することができる。
【００６５】
（第６の実施の形態）
図１８及び図１９に示すように、本発明の第６の実施の形態の照明ユニット１ｅは、図１６に示した第４の実施の形態の１区画型の照明ユニット１ｄに対して、第２の反射部材４ａを図２０Ａ、図２０Ｂに示す構造にした点が異なる。すなわち、第１の実施の形態等と同じ脚部４４に対して、平板状の第１、第２領域４１ａ，４２ａをその上端部に取り付けた構成である。その他の構成は、第４の実施の形態の１区画型の照明ユニット１ｄと共通である。
【００６６】
本実施の形態の照明ユニット１ｅも、第１の実施の形態の照明ユニット１ａと同様に、図８、図９に示したように適数体、縦横に配列して筐体１７ａに収容することにより、平面照明装置１００ａを構成できる。そして、第１の実施の形態と同様に筐体側透光パネル６の面全体に均一な明るさで発光させることができる。
【００６７】
（第７の実施の形態）
本発明の第７の実施の形態の照明ユニット１ｆ及び照明装置１０ｄについて、図２１を用いて説明する。本実施の形態の照明装置１０ｄは、本実施の形態の照明ユニット１ｆを筐体７に収容し、筐体７の上面開口に透光パネル６を取り付けた構成である。そして、照明ユニット１ｆは次の構成である。
【００６８】
照明ユニット１ｆは、図１２Ａ、図１２Ｂに示した第４の実施の形態の照明ユニット１ｃと同様の４区画の第１の反射部材２に対して、第６の実施の形態の１区画の照明ユニット１ｅに使用した平板型の第２の反射部材４ａを４区画それぞれの光源３の上方に設置し、さらに、第２の反射部材４ａそれぞれの第１、第２領域４１ａ，４２ａの上面に第６の実施の形態と同様にそれらの第１、第２領域４１ａ，４２ａの上面を覆うように拡散部材５ａを取着した構成である。また、第４の実施の形態と同様に十字型の稜線部拡散部材１８を第１の反射部材２の縦横の中心線上の傾斜部２ｂの稜線に沿って設置している。
【００６９】
この第１の反射部材２は、他の実施の形態と同様にシート状の熱可塑性樹脂を、金型などを用いて一括プレス加工により成型される。
【００７０】
本実施の形態の照明装置１０ｄは、この４区画型の照明ユニット１ｆをその四周と底面を包囲する形状の筐体７内に収容し、筐体７の上面開口に筐体側透光パネル６を取り付けて構成している。この照明装置１０ｄによれば、ほぼ点光源に近い光源３を４個搭載した照明装置ながら、発光面全体が均一な強さに発光する照明装置が実現できる。
【００７１】
本実施の形態の照明ユニット１ｆによれば、これの適数体と図１８、図１９に示した第６の実施の形態の１区画型の照明ユニット１ｅの適数体とを同時に使用することにより、図１６、図１７に示した第５の実施の形態のような任意の形状、面積の平面照明装置１１０−１，１１０−２を構成することができ、その任意の形状、面積の平面照明装置１１０について、４区画型の照明装置１０ｄと同様に、ほぼ点光源に近い光源３を多数個搭載した照明装置ながら、発光面全体が均一な強さに発光する照明装置が実現できる。
【００７２】
（第８の実施の形態）
図２２〜図２４を用いて、本発明の第８の実施の形態の照明ユニット１ｇ，１ｈと４光源型の照明装置１０ｅについて説明する。
【００７３】
図２２は、本実施の形態の４区画型の照明ユニット１ｇを用いて構成される４光源型の照明装置１０ｅを示している。図２２、図２４に示すように、本実施の形態の４区画型の照明ユニット１ｇでは、第１の反射部材２は底面２ａに対して、その４辺それぞれから凸状の曲面形状（鞍型形状）を有し立ち上がる傾斜部２ｂを形成した上面から見て正方形の小区画を縦横４区画同時に形成し、その全体において周縁に位置する傾斜部２ｂの端縁から垂直に縁部２ｃを立ち上がらせ、縁部２ｃの上端が正方形をなす形状としている。この第１の反射部材２は図１２Ａ、図１２Ｂに示した第４の実施の形態の照明ユニット１ｃのものと同様である。４区画それぞれの底面２ａにはＬＥＤ光源３が設置してある。また、第４、第７の実施の形態と同様に、第１の反射部材２の縦横の中心線上に十字状に位置する４個の傾斜部２ｂそれぞれの稜線部分に沿うように十字状の稜線部拡散部材１８を設置している。
【００７４】
そして本実施の形態の照明ユニット１ｇの場合、他の実施の形態のように第１の反射部材２の各底面２ａ上に第２の反射部材４あるいは４ａを設置していない。第２の反射部材４ｂは、ユニット側拡散パネル５ｂの各光源３に対向する位置に取着してある。この第２の反射部材４ｂは平坦な正方形状であり、他の実施の形態において説明した第１領域４１とスリット４３を形成した第２領域４２で構成されている。
【００７５】
図２２においてユニット側拡散パネル５ｂは、４区画の第１の反射部材２の上面の全体を覆う大きさであり、その第１の反射部材２の上面の全体を覆うように設置してある。このユニット側拡散パネル５ｂは、他の実施の形態におけるユニット側拡散部材５，５ａと同様、光源３からの光、第１の反射部材２、第２の反射部材４ｂにて反射拡散されてくる光に対して拡散させ、かつ透過させる働きをする乳白色の板材である。
【００７６】
図２２は、筐体側拡散透光パネル６とユニット側拡散パネル５ｂを筐体７の上面開口から開いた状態で示してあるが、本実施の形態の照明装置１０ｅは、上記構成の照明ユニット１ｇを筐体７内に収容し、上記のように各光源３と対向する位置４箇所それぞれに第２の反射部材４ｂを取着したユニット側拡散パネル５ｂを照明ユニット１ｇの上面全体を覆うように取り付け、さらに筐体側拡散透光パネル６を筐体７の上面開口に取り付けて構成する。
【００７７】
図２３は、本実施の形態の１区画型の照明ユニット１ｈを示している。この１区画型の照明ユニット１ｈでは、第１の反射部材２は底面２ａに対して、その４辺それぞれから凸状の曲面形状（鞍型形状）を有し立ち上がる傾斜部２ｂを形成した上面から見て正方形の区画１つだけで構成され、４辺それぞれの傾斜部２ｂの端縁から垂直に縁部２ｃを立ち上がらせ、縁部２ｃの上端が正方形をなす形状としている。この第１の反射部材２の底面２ａの中心部にＬＥＤ光源３が設置してある。本実施の形態の照明ユニット１ｈを用いて１光源型の照明装置を構成する場合には、図１０、図１１に示した第３の実施の形態の照明装置と同様に、１光源型のサイズの筐体７内にこの１区画型の照明ユニット１ｈを収容し、光源３に対応する位置に第２の反射部材４ｂを取着したユニット側拡散パネル５ｂを第１の反射部材２の上面に設置し、さらに、筐体側拡散透光パネル６ａを筐体７の上面開口に取り付ける。
【００７８】
本実施の形態の照明ユニット及び照明装置によれば、第７の実施の形態と同様に発光面全体が均一な強さに発光する照明装置が実現できる。これと同時に、本実施の形態の場合、照明装置１０ｅの組み立てに当たってユニット側拡散パネル５ｂの裏面の該当位置に第２の反射部材４ｂを取着する作業をすれば済み、第１の反射部材２に対してその各光源３の上方位置に第２の反射部材４を設置する作業よりも格段に簡単な作業で組み立てやすい利点がある。また、照明ユニット１ｇ，１ｈの厚みを約２０ｍｍまで薄くでき、同時に照明装置１０ｅの厚みも格段に薄くでき、約６０ｍｍ程度まで薄く構成できる。
【００７９】
加えて、本実施の形態の場合、第１の拡散部材２の上面全体にユニット側拡散パネル５ｂを覆うようにして取り付けるので、ゴミ、異物の第１の反射部材２内への侵入を確実に防げる利点もある。
【００８０】
（第９の実施の形態）
本発明の第９の実施の形態の照明装置について説明する。本実施の形態の照明装置は、図２３に示す１区画の照明ユニット１ｈ（第８の実施の形態における１区画構成の照明ユニット）と図２４に示す４区画の照明ユニット１ｇ（第８の実施の形態の４区画構成の照明ユニット）を適数個使用して構成される。
【００８１】
図２３に示す１区画の照明ユニット１ｇについては、これを１体だけ、上面から見て正方形状の筐体に収容し、１区画だけの第１の反射部材２の上面全体にユニット側拡散パネル５ｂを取り付け、さらに筐体の上面開口には筐体側拡散透光パネル６を取り付けることにより１光源型の照明装置を構成できる。また、図２４に示す４区画の照明ユニット１ｈについては、これを１体だけ用いて、上面から見て正方形状の筐体に収容し、４区画の第１の反射部材２の上面全体にユニット側拡散パネル５ｂを取り付け、さらに筐体の上面開口に筐体側透光パネル６を取り付けることにより、図２２に示した第８の実施の形態の４光源型の照明装置１０ｅを構成できる。１光源型の場合、収容筐体は外周寸法が１５０ｍｍ×１５０ｍｍであり、内法の寸法が１４５ｍｍ×１４５ｍｍである。また、４光源型の場合、収容筐体７は、外周寸法が３００ｍｍ×３００ｍｍであり、内法が２９０ｍｍ×２９０ｍｍである。
【００８２】
図２５は、第９の実施の形態の照明装置の一例として１０光源型の照明装置１２０−１を示し、図２６はこの照明装置１２０−１の複数の照明ユニット１ｇ，１ｈの全体の上面に取り付けるユニット側拡散透光パネル５ｂの裏面の様子を示している。このユニット側拡散パネル５ｂの素材は、第８の実施の形態で用いたものと同様である。本実施の形態の照明装置１２０−１は、図２３に示した第８の実施の形態の１区画の照明ユニット１ｈ（以下、識別子としてＳＬＵ−１と記す）と図２４に示した第８の実施の形態の４区画の照明ユニット１ｇ（以下、識別のためにＳＬＵ−４と記す）とを、ＳＬＵ−１×２個、ＳＬＵ−４×２個、筐体１７−１に収容し、その複数体の照明ユニット１ｇ，１ｈの全体の上面に取り付けるユニット側拡散パネル５ｂには、それぞれの光源３の位置に対応する場所に第２の反射部材４ｂを取着している。この例の照明装置１２０−１は、縦３００ｍｍ、横７５０ｍｍの平面照明装置となっている。
【００８３】
また、図２７、図２８に示す別例の照明装置１２０−２は、４区画型の照明ユニット１ｇ（ＳＬＵ−４）を４個、筐体１７−２に収容した構成である。複数体の照明ユニット１ｇの全体の上面に取り付けるユニット側拡散パネル５ｂには、それぞれの光源３の位置に対応する場所に第２の反射部材４ｂを取着している。このユニット側拡散パネル５ｂの素材も、第８の実施の形態で用いたものと同様である。この照明装置１２０−２は、縦６００ｍｍ、横６００ｍｍの正方形の平面照明装置となる。
【００８４】
このようにして、本実施の形態の照明装置によれば、ＳＬＵ−１の適数個とＳＬＵ−４の適数個を適宜に組み合わせて配列することにより、ほぼ任意の形状及び寸法、面積で、かつ薄型の平面照明装置を構成することができる。そして、複数体の照明ユニットの全体の上面にユニット側拡散パネル５ｂを取り付けるので、各ユニットの第１の反射部材２内へのゴミ、異物の侵入を防ぐことができ、装置として長期にわたりメンテナンスフリーで使用できる利点もある。
【００８５】
（第１０の実施の形態）
図２９〜図３１を用いて、本発明の第１０の実施の形態の照明ユニット１ｃ′，１ｄ′と４光源型の照明装置１０ｃ′について説明する。
【００８６】
図２９は、図３１に示した本実施の形態の４区画型の照明ユニット１ｃ′を用いて構成される４光源型の照明装置１０ｃ′を示している。図２９、図３１に示すように、本実施の形態の４区画型の照明ユニット１ｃ′では、第１の反射部材２は図１２Ａ、図１２Ｂに示した第４の実施の形態の照明ユニット１ｃのものと同様である。４区画それぞれの底面２ａにはＬＥＤ光源３が設置してある。また、第４、第７の実施の形態と同様に、第１の反射部材２の縦横の中心線上に十字状に位置する４個の傾斜部２ｂそれぞれの稜線部分に沿うように十字状の稜線部拡散部材１８を設置している。また、他の実施の形態のように第１の反射部材２の各底面２ａ上に第２の反射部材４又は４ａを設置してある。
【００８７】
図２９においてアクリル製のユニット側透明パネル５０は、４区画の第１の反射部材２の上面の全体を覆う大きさであり、その第１の反射部材２の上面の全体を覆うように設置してある。このユニット側透明パネル５０の内側にはユニット側拡散シート５ｃが取着してある。この拡散シート５ｃは他の実施の形態におけるユニット側拡散部材５，５ａと同様の材料にて作成されたシート状のものである。これらのユニット側透明パネル５０とその内側の拡散シート５ｃとでユニット側拡散パネルとなる。
【００８８】
図２９は、筐体側拡散透光パネル６とユニット側透明パネル５０及びその内側の拡散シード５ｃを筐体７の上面開口から開いた状態で示してあるが、本実施の形態の照明装置１０ｃ′は、上記構成の照明ユニット１ｃ′を筐体７内に収容し、各第２の反射部材４と間隔を明けて対向するように、拡散シート５ｃの取着されたユニット側透明パネル５０を照明ユニット１ｃ′の上面全体を覆うように取り付け、さらに筐体側拡散透光パネル６を筐体７の上面開口に取り付けて構成する。
【００８９】
図３０は、本実施の形態の１区画型の照明ユニット１ｄ′を示している。この１区画型の照明ユニット１ｄ′では、第１の反射部材２は底面２ａに対して、その４辺それぞれから凸状の曲面形状（鞍型形状）を有し立ち上がる傾斜部２ｂを形成した上面から見て正方形の区画１つだけで構成され、４辺それぞれの傾斜部２ｂの端縁から垂直に縁部２ｃを立ち上がらせ、縁部２ｃの上端が正方形をなす形状としている。この第１の反射部材２の底面２ａの中心部にＬＥＤ光源３が設置してある。本実施の形態の照明ユニット１ｄ′を用いて１光源型の照明装置を構成する場合には、図１０、図１１に示した第３の実施の形態の照明装置と同様に、１光源型のサイズの筐体７内にこの１区画型の照明ユニット１ｃ′を収容し、この照明ユニット１ｃ′の開口部の正方形状とほぼ同じサイズの拡散シート５ｃを取着したユニット側透明パネル５０を第１の反射部材２の上面に設置し、さらに、筐体側拡散透光パネル６を筐体７の上面開口に取り付ける。
【００９０】
本実施の形態の照明ユニット及び照明装置によれば、第８の実施の形態と同様に発光面全体が均一な強さに発光する照明装置が実現できる。これと同時に、本実施の形態の場合、照明装置１０ｃ′の組み立てに当たってユニット側透明パネル５０の裏面にほぼ同じ大きさの拡散シート５ｃを取着する作業をすれば済み、第２の反射部材４の上にユニット側拡散部材５ａを設置する作業よりも格段に簡単な作業で組み立てやすい利点がある。また、照明ユニット１ｃ′，１ｄ′の厚みを約２０ｍｍまで薄くでき、同時に照明装置１０ｃ′の厚みも格段に薄くでき、約６０ｍｍ程度まで薄く構成できる。加えて、本実施の形態の場合、第１の拡散部材２の上面全体にユニット側透明パネル５０を覆うようにして取り付けるので、ゴミ、異物の第１の反射部材２内への侵入を確実に防げる利点もある。
【００９１】
（第１１の実施の形態）
本発明の第１１の実施の形態の照明装置について説明する。本実施の形態の照明装置は、図３０に示す１区画の照明ユニット１ｄ′（第８の実施の形態における１区画構成の照明ユニット）と図３１に示す４区画の照明ユニット１ｃ′（第８の実施の形態の４区画構成の照明ユニット）を適数個使用して構成される。
【００９２】
図３０に示す１区画の照明ユニット１ｄ′については、これを１体だけ、上面から見て正方形状の筐体に収容し、１区画だけの第１の反射部材２の上面全体に、拡散シート５ｃの取着されたユニット側透明パネル５０を取り付け、さらに筐体の上面開口には筐体側拡散透光パネル６を取り付けることにより１光源型の照明装置を構成できる。また、図３１に示す４区画の照明ユニット１ｃ′については、これを１体だけ用いて、上面から見て正方形状の筐体に収容し、４区画の第１の反射部材２の上面全体に、拡散シート５ｃの取着されたユニット側透明パネル５０を取り付け、さらに筐体の上面開口に筐体側透光パネル６を取り付けることにより、図２９に示した第１０の実施の形態の４光源型の照明装置１０ｃ′を構成できる。
【００９３】
１光源型の場合、収容筐体は外周寸法が１５０ｍｍ×１５０ｍｍであり、内法の寸法が１４５ｍｍ×１４５ｍｍである。また、４光源型の場合、収容筐体７は、外周寸法が３００ｍｍ×３００ｍｍであり、内法が２９０ｍｍ×２９０ｍｍである。
【００９４】
図３２は、第１１の実施の形態の照明装置の一例として１０光源型の照明装置１２０−３を示している。この例の照明装置１２０−３の場合、図３０に示した第１０の実施の形態の１区画の照明ユニット１ｄ′（ＳＬＵ−１）と図３１に示した第１０の実施の形態の４区画の照明ユニット１ｃ′（ＳＬＵ−４）とをＳＬＵ−１×２個、ＳＬＵ−４×２個として筐体１７−１に収容し、その複数体の照明ユニット１ｃ′，１ｄ′の全体の上面に取り付けるユニット側透明パネル５０には、ほぼ同じ大きさの拡散シート５ｃを取着する。この例の照明装置１２０−３は、縦３００ｍｍ、横７５０ｍｍの平面照明装置となっている。
【００９５】
また、図３３に示す別例の照明装置１２０−４は、４区画型の照明ユニット１ｃ′（ＳＬＵ−４）を４個、筐体１７−２に収容した構成である。複数体の照明ユニット１ｃ′の全体の上面に取り付ける透明なユニット側透明パネル５０には、ほぼ同じ大きさの拡散シート５ｃを取着する。この照明装置１２０−４は、縦６００ｍｍ、横６００ｍｍの正方形の平面照明装置となる。
【００９６】
このようにして、本実施の形態の照明装置によれば、ＳＬＵ−１の適数個とＳＬＵ−４の適数個を適宜に組み合わせて配列することにより、ほぼ任意の形状及び寸法、面積で、かつ薄型の平面照明装置を構成することができる。そして、複数体の照明ユニットの全体の上面に透明なユニット側透明パネル５０を取り付けるので、各ユニットの第１の反射部材２内へのゴミ、異物の侵入を防ぐことができ、装置として長期にわたりメンテナンスフリーで使用できる利点もある。
【００９７】
（第１２の実施の形態）
本発明の第１２の実施の形態の照明ユニット１ｉは、４区画の第１の反射部材２の裏面の形状に特徴を有している。すなわち、図３６に示すように、図３１に示す表側の形状の第１の反射部材２の裏面に、４個の光源３それぞれを結ぶ線上に電線溝８を縦横に形成したことを特徴とする。これにより、複数体の照明ユニット１ｉを例えば、図２７のように配列した構成の照明装置１２０−２に対して、各照明ユニット１ｉの裏面において電線溝８を利用して各光源３間に電線を縦横に配線して直列あるいは並列に接続することができる。尚、この電線溝８はまた、表側に凸となって補強リブの役目も果たすようになり、第１の反射部材２を補強する。また、この電線溝８は、他の実施の形態の照明ユニットにおける第１の反射部材２の底面に同様に形成することができる。
【００９８】
（その他の実施形態）
上記の各実施の形態の説明においては、光源３の一例として、青色光を出力するＬＥＤチップと黄色蛍光体を用いた蛍光発光部を積層した箱形ＬＥＤパッケージにより白色光を出力する例を示したが、これに限定されず、他にも公知のＬＥＤを適用可能である。また、種々のＬＥＤチップと蛍光発光部とを組み合わせることにより、光源３から出射する光の色は任意に設定可能である。
【００９９】
また、第１の反射部材２が逆載頭四角錐体状を有しているが、例えば、逆載頭六角錐等の逆載頭多角錐状、あるいは逆載頭円錐体状などであっても構わない。
【産業上の利用可能性】
【０１００】
本発明は、例えば、広告看板、サインパネル、非常灯、各種ディスプレイのバックライト等に用いられる照明ユニット及び照明装置に適用される。
【符号の説明】
【０１０１】
１ａ〜１ｉ  照明ユニット
２  第１の反射部材
３  光源
４，４ａ，４ｂ  第２の反射部材
５，５ａ  ユニット側拡散部材
５ｂ  ユニット側拡散パネル
５ｃ  拡散シート
５０  ユニット側透明パネル
６  筐体側透光パネル
７  筐体
１０ａ〜１０ｆ  照明装置
１２  電源
１６ａ  筐体側透光パネル
１７ａ，１７−１，１７−２  筐体
１８  稜線部拡散部材
４１，４１ａ  第１領域
４２，４２ａ  第２領域
４３  スリット
４４  脚部
１００ａ  照明装置
１１０−１，１１０−２  照明装置
１２０−１〜１２０−４  照明装置
【図１】
2011100709.tif 000003
【図２】
2011100709.tif 000004
【図３Ａ】
2011100709.tif 000005
【図３Ｂ】
2011100709.tif 000006
【図４】
2011100709.tif 000007
【図５】
2011100709.tif 000008
【図７】
2011100709.tif 000009
【図８】
2011100709.tif 000010
【図９】
2011100709.tif 000011
【図１０】
2011100709.tif 000012
【図１１】
2011100709.tif 000013
【図１２Ａ】
2011100709.tif 000014
【図１２Ｂ】
2011100709.tif 000015
【図１３】
2011100709.tif 000016
【図１４】
2011100709.tif 000017
【図１５】
2011100709.tif 000018
【図１６】
2011100709.tif 000019
【図１７】
2011100709.tif 000020
【図１８】
2011100709.tif 000021
【図１９】
2011100709.tif 000022
【図２０Ａ】
2011100709.tif 000023
【図２０Ｂ】
2011100709.tif 000024
【図２１】
2011100709.tif 000025
【図２２】
2011100709.tif 000026
【図２３】
2011100709.tif 000027
【図２４】
2011100709.tif 000028
【図２５】
2011100709.tif 000029
【図２６】
2011100709.tif 000030
【図２７】
2011100709.tif 000031
【図２８】
2011100709.tif 000032
【図２９】
2011100709.tif 000033
【図３０】
2011100709.tif 000034
【図３１】
2011100709.tif 000035
【図３２】
2011100709.tif 000036
【図３３】
2011100709.tif 000037
【図３４】
2011100709.tif 000038
【図６Ａ】
2011100709.tif 000039
【図６Ｂ】
2011100709.tif 000040
【図６Ｃ】
2011100709.tif 000041